(57)【特許請求の範囲】
【請求項１】
基端部を回転可能に支持され、ウインドガラス開閉方向と交叉する方向に延びるリフトアームブラケットのガイドに先端部を案内されるリフトアームと、
前記リフトアームとＸ字状を成すように中間部を前記リフトアーム中央部の貫通孔に回転可能に枢着され、先端部で前記リフトアームブラケットを支持し、基端部を前記リフトアームブラケットのガイドと平行なイコライザアームブラケットのガイドに案内されるイコライザアームとを有し、
前記リフトアームの回転により、前記リフトアームブラケットに支持されたウインドガラスを開閉するウインドレギュレータであって、
前記リフトアーム中央部の貫通孔付近で且つ基端部側の部位に、応力分散凸部を形成して成り、
前記リフトアーム中央部の貫通孔の周囲には環状凸部が形成され、該リフトアームの環状凸部と基端部の間の幅方向中央部には該環状凸部手前から基端部側に延びる長手状凸面部が長手方向に沿って形成され、
前記応力分散凸部は、前記長手状凸面部の先端部と幅方向で離間し且つ長手方向で重複する部位を有するように形成され、
前記応力分散凸部の一端は前記環状凸部に連なっている、
ことを特徴とするウインドレギュレータ。
【請求項２】
請求項１に於いて、
前記長手状凸面部の先端部は先端側に向けて下がるように傾斜し、前記応力分散凸部は少なくとも前記長手状凸面部の先端部と長手方向で重複する部位を有するように形成されている、
ことを特徴とするウインドレギュレータ。
【請求項３】
請求項１又は請求項２に於いて、
前記応力分散凸部は、前記リフトアーム中央部の貫通孔付近で且つ基端部側の部位であって且つ縁寄りの部位に少なくとも形成されている、
ことを特徴とするウインドレギュレータ。
【請求項４】
請求項１〜請求項３の何れかに於いて、
前記応力分散凸部は、線状に延びる応力分散凸条部、及び／又は、面状を成す応力分散凸面部である、
ことを特徴とするウインドレギュレータ。
【請求項５】
請求項４に於いて、
前記応力分散凸部はその他端が前記リフトアームの縁に至るように形成されている、
ことを特徴とするウインドレギュレータ。
【発明の詳細な説明】
【技術分野】
【０００１】
本発明は、リフトアームとイコライザアームを備え、リフトアームブラケットを介してリフトアームで支持したウインドガラスを、リフトアームの回転により開閉する、いわゆるＸアーム式のウインドレギュレータに関する。詳しくは、リフトアームの形状を改良して、リフトアーム先端部側から加わる荷重による応力を分散させるようにした、ウインドレギュレータに関する。
【背景技術】
【０００２】
リフトアームとイコライザアームをＸ字状に枢着して成り、リフトアームブラケットを介してリフトアームにより支持したウインドガラスを、リフトアームの回転によって開閉する、いわゆるＸアーム式のウインドレギュレータが提供されている。
【０００３】
特開２００３−３２１９７０号公報（特許文献１）には、リフトアーム中央部の貫通孔に、イコライザアーム中央部のプラグプレートを挿通することにより、両アームを枢着して成る、Ｘアーム式のウインドレギュレータが開示されている。ここで、プラグプレートとは、イコライザアームを構成する第１アームと第２アームをイコライザアームの中央部で接合する偏平な円柱形状のプレートであり、第１アームの端部がプラグプレートの一方の端面に溶接され、第２アームの端部がプラグプレートの他方の端面に溶接されることにより、第１アームと第２アームの接合が実現される。
特開２００３−３２１９７０号公報のウインドレギュレータでは、リフトアームとイコライザアームの枢着部分での相対回動が円滑に行われ、且つ、ガタつきや異音が発生しないようにするために、何れか一方のアームの他方のアームとの対向面に、他方のアーム側へ突出する凸部を設けており、これにより、各部品の製造上のバラツキに影響されない適正なクリアランスを確保している。
【先行技術文献】
【特許文献】
【０００４】
【特許文献１】特開２００３−３２１９７０号公報
【発明の概要】
【発明が解決しようとする課題】
【０００５】
Ｘアーム式のウインドレギュレータでは、軽量化の要請から、リフトアーム等の各部材の薄肉化が望まれている。また、各部材に対する小型化の要請もある。
その一方で、Ｘアーム式のウインドレギュレータでは、ウインドガラスが全閉位置や全開位置に至ったときに、ウインドガラス側から加わる荷重によって、リフトアームが座屈したり、過度に湾曲したりすることを防止できる十分な強度が求められている。即ち、長手方向の軸に関する十分な捩じり剛性が、Ｘアーム式ウインドレギュレータのリフトアームに求められている。
本発明は、軽量化・薄肉化と十分な捩じり剛性という、相反する要請に応えることを目的とする。
【課題を解決するための手段】
【０００６】
本発明は、下記［１］〜［５］のように構成される。なお、この項（課題を解決するための手段）と、次項（発明の効果）において、各符号は、理解を容易にするために付したものであり、本発明を符号の構成に限定する趣旨ではない。
［１］構成１
基端部１１を回転可能に支持され、ウインドガラス開閉方向と交叉する方向に延びるリフトアームブラケット５のガイド５１に先端部１２を案内されるリフトアーム１と、
前記リフトアーム１とＸ字状を成すように中間部２３を前記リフトアーム中央部の貫通孔１３に回転可能に枢着され、先端部２２で前記リフトアームブラケット５を支持し、基端部２１を前記リフトアームブラケット５のガイド５１と平行なイコライザアームブラケット６のガイド６１に案内されるイコライザアーム２とを有し、
前記リフトアーム１の回転により、前記リフトアームブラケット５に支持されたウインドガラスを開閉するウインドレギュレータであって、
前記リフトアーム中央部の貫通孔１３付近で且つ基端部１１側の部位に、応力分散凸部１８を形成して成り、
前記リフトアーム中央部の貫通孔１３の周囲には環状凸部１４が形成され、該リフトアームの環状凸部１４と基端部１１の間の幅方向中央部には該環状凸部１４手前から基端部１１側に延びる長手状凸面部１５が長手方向に沿って形成され、
前記応力分散凸部１８は、前記長手状凸面部１５の先端部と幅方向で離間し且つ長手方向で重複する部位を有するように形成され、
前記応力分散凸部１８の一端は前記環状凸部１４に連なっている、
ことを特徴とするウインドレギュレータ。
［２］構成２
構成１に於いて、
前記長手状凸面部１５の先端部は先端側に向けて下がるように傾斜し、前記応力分散凸部１８は少なくとも前記長手状凸面部１５の先端部と長手方向で重複する部位を有するように形成されている、
ことを特徴とするウインドレギュレータ。
【０００７】
応力分散凸部１８は、ウインドガラスからリフトアームブラケット５を介してリフトアーム１の先端部１２側に加わる荷重による応力を、分散させる機能を奏する。
応力分散凸部１８は、例えば、プレス成形によりリフトアーム１を形成する際に、貫通孔１３等とともに同時に形成することができる。プレス成形による場合、応力分散凸部１８の「凸」は、反対面側では「凹」となる。
応力分散凸部１８が「凸」となる側は、リフトアーム１に対してイコライザアーム２が相対的に回転するとき（＝ウインドガラスの開／閉時）に、両アームが干渉しないように設けられていれば、いずれの面であってもよい。
一般的なイコライザアーム２は、基端部２１側の第１アーム２Ａと、先端部１２側の第２アーム２Ｂと、中間部２３に位置するプラグプレート２Ｃから構成される。プラグプレート２Ｃは短い（＝偏平な）円柱形状を成し、該プラグプレート２Ｃを介して、第１アーム２Ａと第２アーム２Ｂとが、一体に固着される。また、イコライザアーム２は、プラグプレート２Ｃの部分で、リフトアーム１の貫通孔１３に枢着される。
【０００８】
構成１に於いて「前記応力分散凸部１８は、前記長手状凸面部１５の先端部と幅方向で離間し且つ長手方向で重複する部位を有するように形成され、」とは、リフトアームの長手方向に関して、
（１）環状凸部１４と長手状凸面部１５先端の間に応力分散凸部１８が在り、さらに、長手状凸面部１５先端側と重複する部位まで応力分散凸部１８が延びている；
又は、
（２）環状凸部１４と長手状凸面部１５先端の間に応力分散凸部１８が在り、さらに、環状凸部１４の一部と重複する部位まで応力分散凸部１８が延びているとともに長手状凸面部１５先端側と重複する部位まで応力分散凸部１８が延びている；
ことを言う。
環状凸部１３と応力分散凸部１８に関しては、それらが「凸」となる側は、リフトアーム１に対してイコライザアーム２が相対的に回転するとき（＝ウインドガラスの開／閉時）に、両アームが干渉しないように設けられていれば、同じ側の面であってもよく、異なる側の面であってもよい。また、環状凸部１３と長手状凸面部１５と応力分散凸部１８に関して、それらが「凸」となる側は、全てが同じ側の面であってもよく、何れかが異なる側の面であってもよい。
［３］構成３
構成１又は構成２に於いて、
前記応力分散凸部１８は、前記リフトアーム中央部の貫通孔１３付近で且つ基端部１１側の部位であって且つ縁１６寄りの部位に少なくとも形成されている、
ことを特徴とするウインドレギュレータ。
ここで、「縁１６寄りの部位に少なくとも形成されている」とは、
（１）応力分散凸部１８がリフトアーム１の一方の縁１６寄りの部位に形成されている；
又は、
（２）応力分散凸部１８がリフトアーム１の両方の縁１６、１６寄りの部位にそれぞれ形成されている；
又は、
（３）応力分散凸部１８がリフトアーム１の一方の縁１６寄りの部位に形成されているとともに、リフトアーム１の長手方向仮想中心線に沿い、リフトアーム中央部の貫通孔１３付近で且つ基端部１１側の部位にも形成されている；
又は、
（４）応力分散凸部１８がリフトアーム１の両方の縁１６、１６寄りの部位にそれぞれ形成されているとともに、リフトアーム１の長手方向仮想中心線に沿い、リフトアーム中央部の貫通孔１３付近で且つ基端部１１側の部位にも形成されている；
ことを言う。
応力分散凸部１８が複数個設けられている場合、それらが「凸」となる側は、リフトアーム１に対してイコライザアーム２が相対的に回転するとき（＝ウインドガラスの開／閉時）に、両アームが干渉しないように設けられていれば、同じ側の面であってもよく、異なる側の面であってもよい。
【０００９】
［４］構成４
構成１〜構成３の何れかに於いて、
前記応力分散凸部１８は、線状に延びる応力分散凸条部１８１（１８１Ａ）、及び／又は、面状を成す応力分散凸面部１８５（１８５Ａ）である、
ことを特徴とするウインドレギュレータ。
［５］構成５
構成４に於いて、
前記応力分散凸部１８はその他端が前記リフトアームの縁１６に至るように形成されている、
ことを特徴とするウインドレギュレータ。
【発明の効果】
【００１０】
構成１は、基端部１１を回転可能に支持され、ウインドガラス開閉方向と交叉する方向に延びるリフトアームブラケット５のガイド５１に先端部１２を案内されるリフトアーム１と、前記リフトアーム１とＸ字状を成すように中間部２３を前記リフトアーム中央部の貫通孔１３に回転可能に枢着され、先端部２２で前記リフトアームブラケット５を支持し、基端部２１を前記リフトアームブラケット５のガイド５１と平行なイコライザアームブラケット６のガイド６１に案内されるイコライザアーム２とを有し、前記リフトアーム１の回転により、前記リフトアームブラケット５に支持されたウインドガラスを開閉するウインドレギュレータであって、前記リフトアーム中央部の貫通孔１３付近で且つ基端部１１側の部位に、応力分散凸部１８を形成して成り、前記リフトアーム中央部の貫通孔１３の周囲には環状凸部１４が形成され、該リフトアームの環状凸部１４と基端部１１の間の幅方向中央部には該環状凸部１４手前から基端部１１側に延びる長手状凸面部１５が長手方向に沿って形成され、前記応力分散凸部１８は、前記長手状凸面部１５の先端部と幅方向で離間し且つ長手方向で重複する部位を有するように形成され、前記応力分散凸部１８の一端は前記環状凸部１４に連なっていることを特徴とするウインドレギュレータであるため、応力分散凸部１８が、リフトアーム先端部側からの荷重による応力を分散させる機能を奏し、その結果、リフトアーム１を薄肉化したとしても、十分な捩じり剛性を得ることができる。したがって、軽量で且つ十分な捩じり剛性を備えたウインドレギュレータを提供することができる。
構成２は、構成１に於いて、前記長手状凸面部１５の先端部は先端側に向けて下がるように傾斜し、前記応力分散凸部１８は少なくとも前記長手状凸面部１５の先端部と長手方向で重複する部位を有するように形成されていることを特徴とするウインドレギュレータであるため、構成１の効果に加えて、さらに、十分な捩じり剛性を得ることができる。
構成３は、構成１又は構成２に於いて、前記応力分散凸部１８は、前記リフトアーム中央部の貫通孔１３付近で且つ基端部１１側の部位であって且つ縁１６寄りの部位に少なくとも形成されていることを特徴とするウインドレギュレータであるため、構成１や２の効果に加えて、さらに、応力分散凸部１８が応力分散機能を奏するのに適した具体的部位を与えることができる効果がある。
構成４は、構成１〜構成３の何れかに於いて、前記応力分散凸部１８は、線状に延びる応力分散凸条部１８１、及び／又は、面状を成す応力分散凸面部１８５である、ことを特徴とするウインドレギュレータであるため、構成１〜３の効果に加えて、さらに、応力分散凸部１８の具体的形状を与えることができる効果がある。
構成５は、構成４に於いて、前記応力分散凸部１８はその他端が前記リフトアームの縁１６に至るように形成されていることを特徴とするウインドレギュレータであるため、構成１〜４の効果に加えて、さらに、具体的形状を与えることができる効果がある。
【図面の簡単な説明】
【００１１】
【図１】実施の形態のウインドレギュレータの正面図（ａ）と、（ａ）内Ｂ−Ｂ線の模式的端面図（ｂ）。
【図２】図１のウインドレギュレータのリフトアームを示し、（ａ）は斜視図、（ｂ）は正面図、（ｃ）〜（ｇ）はそれぞれ（ｂ）内のＣ−Ｃ端面図、Ｄ−Ｄ端面図、Ｅ−Ｅ＝端面図、Ｆ−Ｆ端面図、Ｇ−Ｇ端面図、（ｈ）は上面図である。
【図３】（ａ）〜（ｊ）は、それぞれ、応力分散凸部の具体例を示す正面図である。
【図４】（ａ）と（ｃ）と（ｅ）は、それぞれ、図１及び図２や、図３とは別の応力分散凸部の具体例を示す斜視図であり、（ｂ）は（ａ）内Ｂ−Ｂ線の模式的端面図、（ｄ）は（ｃ）内Ｄ−Ｄ線模式的端面図、（ｆ）は（ｅ）内Ｆ−Ｆ線模式的端面図である。
【発明を実施するための形態】
【００１２】
図面を参照して、本発明の実施の形態を説明する。以下では、凸部、凸条部、凸面部の語句が用いられているが、これらは相対的な表現であり、反対面側から見た場合は、それぞれ、凹部、凹条部、凹面部である。
【００１３】
（１）図１・図２に示す例の概要
図１・図２に示す例では、応力分散凸条部１８１、１８１、環状凸部１４、長手状凸面部１５、長手状凸面部１５ａは、何れも紙面表面側へ「凸」である。
図１に示すいわゆるＸアーム式のウインドレギュレータは、リフトアーム１と、イコライザアーム２と、リフトアームブラケット５と、イコライザアームブラケット６と、モータ９１を備えた駆動機構９を有する。なお、図１に示す例では、駆動源はモータ９１であるが、モータ９１に代えて手動方式であってもよい。
【００１４】
金属製のリフトアーム１は、その基端部１１にドリブンギア１９が一体に固着されており、その回転軸である軸８１は、リフトアーム１の回転軸でもある。リフトアーム１、及び、リフトアーム１と一体のドリブンギア１９は、軸８１によりベースプレート８に対して回転可能に取り付けられている。また、このベースプレート８には、駆動機構９が一体に取り付けられている。ここで、駆動機構９は、モータ９１と、モータ９１の出力軸（不図示）の駆動力をドリブンギア１９に伝達する伝達ギア機構（不図示）とを有する。駆動機構９によりリフトアーム１を揺動させる機構は周知であるため、これ以上の説明は割愛する。
【００１５】
リフトアーム１の長手方向中央部には、イコライザアーム２の中間部２３が交叉するように枢着されており、これにより、「Ｘ字」が形作られている。
イコライザアーム２は、その先端部２２がリフトアームブラケット５のガイド５１に係合されて案内されるとともに、リフトアームブラケット５を支持している。また、イコライザアーム２は、その基端部２１がイコライザアームブラケット６のガイド６１に係合されて、該ガイド６１によって案内される。
【００１６】
かかるイコライザアーム２は、第１アーム２Ａと、第２アーム２Ｂと、プラグプレート２Ｃを有し、これらが一体に固着されて成る。
第１アーム２Ａは、基端部２１〜中間部２３の部位を構成する部材であり、図１ではリフトアーム１の上面側に位置する。第２アーム２Ｂは、中間部２３〜先端部２２の部位を構成する部材であり、図１ではリフトアーム１の下面側に位置する。プラグプレート２Ｃは偏平な円柱形状を成し、図１基準での上端面に第１アーム２Ａの中間部２３寄りの端部が溶接によって固着されるとともに、図１基準での下端面に第２アーム２Ｂの中間部２３寄りの端部が溶接によって固着される部材であり、これにより、第１アーム２Ａとプラグプレート２Ｃと第２アーム２Ｂの一体化が実現される。
また、プラグプレート２Ｃが、リフトアーム１の長手方向中央部の貫通孔１３に挿通されることにより、イコライザアーム２とリフトアーム１との枢着が実現される。この様子を、図１（ｂ）に模式的に示す。
【００１７】
リフトアームブラケット５は、その上方側（自動車への取付基準での上方側）にウインドガラス（不図示）を支持する部材であり、ウインドガラスの開閉方向（上下方向）と交叉する方向へ延びるガイド５１を有する。このガイド５１にリフトアームの先端部１２が係合され、リフトアーム１の揺動（＝ウインドガラスの昇降）に伴って、ガイド５１内を案内される。
【００１８】
イコライザアームブラケット６は、イコライザアーム２の基端部２１を摺動可能に支持する部材であり、リフトアームブラケット５のガイド５１と平行な方向へ延びるガイド６１を有する。このガイド６１にイコライザアームの基端部２１が係合されており、リフトアーム１の揺動（＝ウインドガラスの昇降）により生起されるイコライザアーム２の揺動に伴って、ガイド６１内を案内される。
【００１９】
上述のイコライザアームブラケット６と、ベースプレート８とが、自動車のドアパネル内の所定の部位に取り付けられることにより、ウインドレギュレータは、自動車のドアパネル内にセットされる。
【００２０】
（２）図１・図２に示すリフトアームの形状
リフトアーム１の形状を、図１と図２を参照して説明する。
リフトアーム１は、長手方向の中央部に円形の貫通孔１３を有し、該貫通孔１３の周囲に、環状凸部１４が形成されている。この環状凸部１４は、イコライザアーム２がリフトアーム１に対して回転する際に、その摺動面となるものである。なお、貫通孔１３にイコライザアーム２のプラグプレート２Ｃが枢着されることは、前述の通りである。
【００２１】
リフトアーム１の環状凸部１４と基端部１１の間の幅方向中央部には、環状凸部１４の手前から基端部１１側へ延びる長手状凸面部１５が、リフトアーム１の長手方向に沿って形成されている。ここで、「手前」とは、図２で環状凸部１４の左側且つ環状凸部１４から若干離隔した部位を言う。この若干の離隔は、イコライザアーム２がリフトアーム１に対して相対的に回転する際に、両者の干渉を避けるべく設けられているものである。
【００２２】
同様に、リフトアーム１の環状凸部１４と先端部１２の間の幅方向中央部には、環状凸部１４を越えた向こうから先端部１２側へ延びる長手状凸面部１５ａが、リフトアーム１の長手方向に沿って形成されている。ここで、「越えた向こう」とは、図２で環状凸部１４の右側且つ環状凸部１４から若干離隔した部位を言う。この若干の離隔もまた、イコライザアーム２がリフトアーム１に対して相対的に回転する際に、両者の干渉を避けるべく設けられているものである。
【００２３】
これらの長手状凸面部１５、１５ａは、リフトアーム１の捩じり剛性を強化するために設けられたものであり、リフトアーム１をプレス成形により製造する際に、貫通孔１３や環状凸部１４、さらには、下記の応力分散凸部１８（１８１、１８１）と同時に形成されるものである。
【００２４】
環状凸部１４や長手状凸面部１５、１５ａに加えて、図１及び図２に示す例では、応力分散凸部１８としての応力分散凸条部１８１が、貫通孔１３付近で且つ基端部１１側の部位に形成されている。具体的には、貫通孔１３の周囲の環状凸部１４に一端が連なり、反対側が基端部１１側へ斜めに延びた後、他端がリフトアーム１の縁１６に至る応力分散凸条部１８１が、各縁１６、１６へそれぞれ向かって、合計２本、形成されている。
【００２５】
これら２本の応力分散凸条部１８１、１８１は、リフトアーム１の長手方向に直交する方向（図２（ｈ）での紙面上方側）から見たときを基準として、何れも、環状凸部１４に連なる一端部側が環状凸部１４とオーバーラップし、縁１６に至る他端部側が長手状凸面部１５の先端部とオーバーラップ（重複）している。このようにオーバーラップ部分があるため、さらなる捩じり剛性の強化が実現されている。
【００２６】
このように応力分散凸条部１８１が形成されているため、ウインドガラスが上昇してガラスシール部材（不図示）に当接し、又は、ウインドガラスが下降してストッパ部材（不図示）に当接して、それらからの反力によりリフトアームブラケット５を介してリフトアーム１の先端部１２に荷重が加わったとき、その荷重による応力は、応力分散凸条部１８１、１８１にて良好に分散される。このため、リフトアーム１は薄肉ではあるが、十分に応力に耐えることができる。
【００２７】
（３）図３に示す例
図３（ａ）〜（ｊ）に、応力分散凸部１８の別の例を示す。
図１及び図２に示す例では、応力分散凸部１８は、それぞれ直線状を成し且つ一端が環状凸部１３に連なるとともに他端側が斜め方向に延びて各縁１６、１６に至る応力分散凸条部１８１、１８１として形成されていた。
【００２８】
これに対して、図３（ａ）では、一端が環状凸部１３に連なり他端側が斜め方向に延びた後に湾曲して縁１６と平行方向になる形状を成す。また、図３（ｂ）では、ジグザグの曲線状を成し且つ一端が環状凸部１３に連なり他端側が全体として斜め方向に延びて縁１６に至る形状を成す。また、図３（ｃ）では、環状凸部１３から離隔するとともに縁１６にも至らず、縁１６と平行方向に延びる形状を成す。また、図３（ｄ）では、直線状を成し且つ一端は環状凸部１３に連ならずに離隔しているが他端側は斜め方向に延びて縁１６に至る形状を成す。また、図３（ｅ）では、環状凸部１３から離隔するとともに両端が縁１６に至り、中央が縁１６から離れるように湾曲する円弧状を成す。
【００２９】
また、図３（ｆ）では、一端が環状凸部１３に連なり縁１６と平行方向に延びた後に屈曲し、その後に他端側が縁１６に至る形状を成す。また、図３（ｇ）では、曲線状を成し且つ一端が環状凸部１３に連なり他端側が湾曲しつつ長手状凸面部１５の先端隅に略連なった後に同様に湾曲しつつ縁１６に至る形状を成す。また、図３（ｈ）では、一端が環状凸部１３に連なり縁１６と平行に延びて長手状凸面部１５の先端隅に略連なるとともに屈曲し、その後に他端側が縁１６に至る形状を成す。また図３（ｉ）では、曲線状を成し且つ一端が環状凸部１３に連なり他端側が内側へ湾曲しつつ長手状凸面部１５の先端に連なる形状を成す。また、図３（ｊ）では、図３（ｉ）と同様ではあるが湾曲の度合いが若干小さな２本の応力分散凸条部１８１ｊ、１８１ｊに加えて、リフトアーム１の長手方向仮想の中心線に沿い且つ一端が環状凸部１４に連なり他端側が直線状に延びて長手状凸面部１５付近に至る形状の応力分散凸条部１８１ｊｊを有する。
これらも、図１及び図２に示した例と略同様に、応力分散機能を奏する。
【００３０】
（４）図４に示す例
図４に、応力分散凸部１８の更に別の例を示す。
図４（ａ）（ｂ）では、環状凸部１４Ａと長手状凸面部１５との間で且つリフトアーム１の幅方向中央部に、応力分散凸面部１８５Ａが形成されている。ここで、環状凸部１４Ａ及び応力分散凸面部１８５Ａの「Ａ」は、それらが「凸」となる側が、長手状凸面部１５とは反対側の面であることを示す。
【００３１】
図４（ｃ）（ｄ）では、環状凸部１４と長手状凸面部１５との間で且つリフトアーム１の幅方向中央部に、応力分散凸面部１８５が形成されている。この例では、環状凸部１４と長手状凸面部１５と応力分散凸面部１８５は、何れも、同じ側に「凸」となっている。
【００３２】
図４（ｅ）（ｆ）では、環状凸部１４Ａと長手状凸面部１５との間に、一端が環状凸部１４Ａに連なるとともに他端側が斜め方向に延びてリフトアーム１の各縁１６、１６に至る合計２本の応力分散凸条部１８１Ａ、１８１Ａが形成されている。ここで、環状凸部１４Ａ及び応力分散凸条部１８１Ａの「Ａ」は、それらが「凸」となる側が、長手状凸面部１５とは反対側の面であることを示す。
これらもまた、図１及び図２に示した例や、図３に示した例と略同様に、応力分散機能を奏する。
【００３３】
（５）変形例
上記では、応力分散凸部１８が応力分散凸条部１８１（又は１８１Ａ）である場合、一方の縁１６側では一本づつ、両縁１６、１６で合計２本、形成されているが、これに代えて、少なくとも一方の縁１６側に複数本の応力分散凸条部を、例えば、相互に平行に沿うように形成してもよい。
また、上記では、応力分散凸条部１８１（又は１８１Ａ）は、一端が環状凸部１４とオーバーラップし、他端が長手状凸面部１５の先端部とオーバーラップしているが、一端及び／又は他端がオーバーラップしない構成も可能である。
また、図１及び図２や図３の例では、応力分散凸部１８が縁１６寄りの位置に在る場合に、直線状又は曲線状の応力分散凸条部を例にとって説明しているが、これに代えて、または、これと混在させて、凸部分が面状を成す応力分散凸面部を設けても良い。例えば、図３（ｅ）の応力分散凸条部１８１ｅ、１８１ｅと各縁１６、１６とで囲まれる部分全域を凸面として形成してもよい。
【符号の説明】
【００３４】
１  リフトアーム
１１  リフトアームの基端部
１２  リフトアームの先端部
１３  リフトアーム中央部の貫通孔
１４  環状凸部
１４Ａ  環状凸部（１４とは反対側の面へ「凸」の場合）
１５  長手状凸面部
１５ａ  長手状凸面部
１６  リフトアームの縁
１８  応力分散凸部
１８１  応力分散凸条部
１８１Ａ  応力分散凸条部（１８１とは反対側の面へ「凸」の場合）
１８５  応力分散凸面部
１８５Ａ  応力分散凸面部（１８５とは反対側の面へ「凸」の場合）
１９  ドリブンギア
２  イコライザアーム
２Ａ  第１イコライザアーム
２Ｂ  第２イコライザアーム
２Ｃ  プラグプレート
２１  イコライザアームの基端部
２２  イコライザアームの先端部
２３  イコライザアームの中間部
５  リフトアームブラケット
５１  リフトアームブラケットのガイド
６  イコライザアームブラケット
６１  イコライザアームブラケットのガイド
８  ベースプレート
９  駆動機構
９１  モータ
【図１】
0005743504.tif 000002
【図２】
0005743504.tif 000003
【図３】
0005743504.tif 000004
【図４】
0005743504.tif 000005